【手続補正書】
【提出日】平成20年11月17日(2008.11.17)
【手続補正１】
【補正対象書類名】明細書
【補正対象項目名】特許請求の範囲
【補正方法】変更
【補正の内容】
【特許請求の範囲】
【請求項１】 疾患、創傷治癒および／またはそれの病的障害の診断、予防および／または治療のため、および／または薬理活性物質同定のために使用される、配列番号３３および配列番号３４から選択されるポリペプチド。
【請求項２】 疾患、創傷治癒および／またはそれの病的障害の診断、予防および／または治療のため、および／または薬理活性物質同定のために使用される、請求項１に記載のポリペプチドをコードする核酸。
【請求項３】 疾患、創傷治癒および／またはそれの病的障害の診断、予防および／または治療のため、および／または薬理活性物質同定のために使用される、請求項１に記載のポリペプチドまたは請求項２に記載の核酸を発現する細胞。
【請求項４】 ポリペプチドが融合タンパク質の形で使用されるものである、請求項１に記載のポリペプチド。
【請求項５】 ポリペプチドが融合タンパク質の形で使用されるものである、請求項２に記載の核酸。
【請求項６】 ポリペプチドが融合タンパク質の形で使用されるものである、請求項３に記載の細胞。
【請求項７】 核酸が発現ベクター、ノックアウト遺伝子構築体および／または遺伝子療法に適用できるベクターの形で使用するためのものである、請求項２に記載の核酸。
【請求項８】 細胞がオートロガス細胞または異種細胞である、請求項３に記載の細胞。
【請求項９】 細胞が皮膚細胞である、請求項８に記載の細胞。
【請求項１０】 皮膚細胞疾患、創傷治癒および／またはそれの病的障害の分析、診断、予防および／または治療のために使用されるか、および／または薬理活性物質同定のために使用される、適切ならば適切な添加剤および／または助剤と組み合わせ、または一緒にした、請求項１に記載のポリペプチドに対して形成された抗体または抗体フラグメント。
【請求項１１】  少なくとも１種類のポリペプチドが、皮膚細胞疾患および／または創傷治癒および／またはそれの病的障害の診断に用いる診断薬を製造するために使用されるものである、適切ならば適切な添加剤および／または助剤と組み合わせ、または一緒にした、請求項１に記載のポリペプチド。
【請求項１２】  核酸が、皮膚細胞疾患および／または創傷治癒および／またはそれの病的障害の診断に用いる診断薬を製造するために使用されるものである、適切ならば適切な添加剤および／または助剤と組み合わせ、または一緒にした、請求項２に記載の核酸。
【請求項１３】  細胞が、皮膚細胞疾患および／または創傷治癒および／またはそれの病的障害の診断に用いる診断薬を製造するために使用されるものである、請求項３に記載の細胞。
【請求項１４】  抗体又は抗体フラグメントが、皮膚細胞疾患および／または創傷治癒および／またはそれの病的障害の診断に用いる診断薬を製造するために使用されるものである、適切ならば適切な添加剤および／または助剤と組み合わせ、または一緒にした、請求項１０に記載の抗体もしくは抗体フラグメント。
【請求項１５】 少なくとも１種類のポリペプチドが、皮膚細胞疾患、創傷治癒および／またはそれの病的障害の予防および／または治療に用いる医薬を製造するために使用されるものである、適切ならば適切な添加剤および／または助剤と組み合わせ、または一緒にした、請求項１に記載のポリペプチド。
【請求項１６】 核酸が、皮膚細胞疾患、創傷治癒および／またはそれの病的障害の予防および／または治療に用いる医薬を製造するために使用されるものである、適切ならば適切な添加剤および／または助剤と組み合わせ、または一緒にした、請求項２に記載の核酸。
【請求項１７】  細胞が、皮膚細胞疾患、創傷治癒および／またはそれの病的障害の予防および／または治療に用いる医薬を製造するために使用されるものである、請求項３に記載の細胞。
【請求項１８】  抗体または抗体フラグメントが、皮膚細胞疾患、創傷治癒および／またはそれの病的障害の予防および／または治療に用いる医薬を製造するために使用されるものである、適切ならば適切な添加剤および／または助剤と組み合わせ、または一緒にした、請求項１０に記載の抗体もしくは抗体フラグメント。
【請求項１９】  少なくとも１種類のポリペプチドが、皮膚細胞疾患および／または創傷治癒および／またはそれの病的障害に関連する薬理活性物質を見出すための試験法の作成に用いる診断薬を製造するためのものである、適切ならば適切な添加剤および／または助剤と組み合わせ、または一緒にした、請求項１に記載のポリペプチド。
【請求項２０】  核酸が、皮膚細胞疾患および／または創傷治癒および／またはそれの病的障害に関連する薬理活性物質を見出すための試験法の作成に用いる診断薬を製造するためのものである、適切ならば適切な添加剤および／または助剤と組み合わせ、または一緒にした、請求項２に記載の核酸。
【請求項２１】  細胞が、皮膚細胞疾患および／または創傷治癒および／またはそれの病的障害に関連する薬理活性物質を見出すための試験法の作成に用いる診断薬を製造するためのものである、請求項３に記載の細胞。
【請求項２２】  抗体または抗体フラグメントが、皮膚細胞疾患および／または創傷治癒および／またはそれの病的障害に関連する薬理活性物質を見出すための試験法の作成に用いる診断薬を製造するためのものである、適切ならば適切な添加剤および／または助剤と組み合わせ、または一緒にした、請求項１０に記載の抗体もしくは抗体フラグメント。
【請求項２３】   請求項１または４のいずれか１項に記載の少なくとも１種類のポリペプチドが、固相に結合していることを特徴とする、請求項１または１９に記載のポリペプチド。
【請求項２４】  ポリペプチドに対する水種類の抗体もしくは抗体フラグメントが、固相に結合していることを特徴とする、請求項２２に記載の抗体もしくは抗体フラグメント。
【請求項２５】   請求項１または４のいずれか１項に記載のポリペプチドまたはこれをコードする核酸を発現する少なくとも１種類の細胞を使用することを特徴とする、請求項２１に記載の細胞。
【請求項２６】   皮膚細胞疾患および／または創傷治癒および／またはそれの病的障害の予防、治療および／または診断に用いる診断薬または分析試薬および／または医薬を製造するために使用される、適切ならば適切な添加剤および／または助剤と組み合わせ、または一緒にした、請求項１９に記載のポリペプチド、請求項２０に記載の核酸、および／または請求項２１に記載の細胞の使用により同定された薬理学的に活性な物質。
【請求項２７】  少なくとも１種類のポリペプチドが、皮膚細胞疾患および／または創傷治癒および／またはそれの病的障害に関連する分析に用いる、キャリヤー材料に結合したアレイを製造するために使用される、請求項１に記載のポリペプチド。
【請求項２８】  少なくとも１種類の核酸が、皮膚細胞疾患および／または創傷治癒および／またはそれの病的障害に関連する分析に用いる、キャリヤー材料に結合したアレイを製造するために使用される、請求項２に記載の核酸。
【請求項２９】  少なくとも１種類の抗体または抗体フラグメントが、皮膚細胞疾患および／または創傷治癒および／またはそれの病的障害に関連する分析に用いる、キャリヤー材料に結合したアレイを製造するために使用される、請求項１０に記載の抗体もしくは抗体フラグメント。